(57)【特許請求の範囲】
【請求項１】
厚み方向の両側にある両側面部間で貫通されたホルダ支持孔を形成したホルダ取付部と、このホルダ取付部から一体に延設した刃部とを有する刃体にあって、この刃部にはこの両側面部の端縁間で延設した刃先部とこの刃先部の対辺側になる背縁部とを設け、この両側面部のうち少なくとも一方の側面部には、この背縁部及びホルダ支持孔の近隣で膨出部を背縁部に沿って突設するとともに、この刃体と分離して設けた補強体自体をその膨出部内の凹所に埋設して固化し、この補強体及び膨出部を含む刃体の厚さを、この補強体及び膨出部を含まない刃体の厚さよりも大きく設定したことを特徴とする医療用メスの刀身。
【請求項２】
厚み方向の両側にある両側面部間で貫通されたホルダ支持孔を形成したホルダ取付部と、このホルダ取付部から一体に延設した刃部とを有する刃体にあって、この刃部にはこの両側面部の端縁間で延設した刃先部とこの刃先部の対辺側になる背縁部とを設け、この刃体と分離して設けた補強体から一体に突設した軸部をこの背縁部及びホルダ支持孔の近隣でこの両側面部のうち一方の側面部から刃部に挿入するとともにこの両側面部のうち他方の側面部でその軸部を頭部でかしめた締結部により、その補強体及び頭部を側面部から突出して取着し、この補強体を含む刃体の厚さを、この補強体を含まない刃体の厚さよりも大きく設定したことを特徴とする医療用メスの刀身。
【発明の詳細な説明】
【０００１】
【発明の属する技術分野】
この発明は、医療用メスの刀身に関するものである。
【０００２】
【従来の技術】
従来、例えば実開平４ー１３６２１１号公報にかかる医療用メスにおいては、刃体のホルダ取付部をホルダの刃取付部に載せ、このホルダ取付部のホルダ支持孔にこの刃取付部の嵌着突部を嵌め込んでこのホルダ支持孔と嵌着突部とを互いに係止すると、刃体の刃部がホルダの刃取付部から突出した状態で、刃体がホルダに対し着脱可能に支持される。
【０００３】
【発明が解決しようとする課題】
前記刃体の厚さは機能上薄くなっているので、刃体全体が撓み易くなり、刃体による切断操作に支障を来すおそれがある。
【０００４】
本発明は、刃体に特定の補強手段を施して、刃体全体を撓みにくくし、その曲げ剛性を高めることを目的にしている。
【０００５】
【課題を解決するための手段】
後記実施形態の図面の符号を援用して、本発明を説明する。
請求項１の発明にかかる医療用メスの刀身は、図１〜３に示す第一実施形態と図４〜５に示す第二実施形態と図６（ａ）に示す第三実施形態と図６（ｂ）に示す第四実施形態とのうち、第四実施形態にのみ対応し、下記のように構成されている。
刃体（６）は、厚み方向（Ａ）の両側にある両側面部（９）間で貫通されたホルダ支持孔（１０）を形成したホルダ取付部（７）と、このホルダ取付部（７）から一体に延設した刃部（８）とを有する。この刃部（８）にはこの両側面部（９）の端縁間で延設した刃先部（１１）とこの刃先部（１１）の対辺側になる背縁部（１２）とを設けている。この両側面部（９）のうち少なくとも一方の側面部（９）には、この背縁部（１２）及びホルダ支持孔（１０）の近隣で膨出部（１５）を背縁部（１２）に沿って突設するとともに、この刃体（６）と分離して設けた補強体(１３)自体をその膨出部（１５）内の凹所（１５ａ）に埋設して固化し、この補強体（１３）及び膨出部（１５）を含む刃体（６）の厚さ（ＴＢ）を、この補強体（１３）及び膨出部（１５）を含まない刃体（６）の厚さ（ＴＳ）よりも大きく設定している。
請求項２の発明にかかる医療用メスの刀身は、図１〜３に示す第一実施形態と図４〜５に示す第二実施形態と図６（ａ）に示す第三実施形態と図６（ｂ）に示す第四実施形態とのうち、第三実施形態にのみ対応し、下記のように構成されている。
刃体（６）は、厚み方向（Ａ）の両側にある両側面部（９）間で貫通されたホルダ支持孔（１０）を形成したホルダ取付部（７）と、このホルダ取付部（７）から一体に延設した刃部（８）とを有する。この刃部（８）にはこの両側面部（９）の端縁間で延設した刃先部（１１）とこの刃先部（１１）の対辺側になる背縁部（１２）とを設けている。この刃体（６）と分離して設けた補強体（１３）から一体に突設した軸部（１４ａ）をこの背縁部（１２）及びホルダ支持孔（１０）の近隣でこの両側面部（９）のうち一方の側面部（９）から刃部（８）に挿入するとともにこの両側面部（９）のうち他方の側面部（９）でその軸部（１４ａ）を頭部（１４ｂ）でかしめた締結部（１４）により、その補強体（１３）及び頭部（１４ｂ）を側面部（９）から突出して取着し、この補強体（１３）を含む刃体（６）の厚さ（ＴＢ）を、この補強体（１３）を含まない刃体（６）の厚さ（ＴＳ）よりも大きく設定している。
【０００９】
【発明の実施形態】
〔第一実施形態〕
まず、本発明の第一実施形態にかかる医療用メス及びその刀身を図１、図２及び図３（ａ）を参照して説明する。
【００１０】
＜図１に示す医療用メス１の概要＞
この医療用メス１はホルダ２と刀身３とを備えている。
このホルダ２は刃取付部４を有している。この刃取付部４には嵌着突部５が形成されている。
【００１１】
図２に示すように、この刀身３において刃体６は、ホルダ取付部７と、このホルダ取付部７から一体に延設された刃部８とを有している。このホルダ取付部７においては、刃体６の厚み方向Ａの両側にある側面部９間で貫通されたホルダ支持孔１０が形成されている。この刃部８においては、刃体６の厚み方向Ａの両側にある側面部９の端縁間に刃先部１１が延設されている。この刃体６は、刃先部１１の対辺側になる背縁部１２を有している。
【００１２】
前記刃体６のホルダ取付部７を前記ホルダ２の刃取付部４に載せ、このホルダ取付部７のホルダ支持孔１０にこの刃取付部４の嵌着突部５を嵌め込んでこのホルダ支持孔１０と嵌着突部５とを互いに係止すると、図１に示すように、刃体６の刃部８がホルダ２の刃取付部４から突出した状態で、刀身３がホルダ２に対し着脱可能に支持される。この刀身３は、使用後、ホルダ２から離脱させて交換することができる。
【００１３】
＜前記刀身３の改良点＞
図２及び図３（ａ）に示すように、前記刃部８の両側面部９のうち一方の側面部９にあって、前記背縁部１２及びホルダ支持孔１０の近隣で、細長い補強体１３が背縁部１２に沿って取着されている。この補強体１３は、刃体６と分離して別体で設けられた金属部品であって、固定部１４（点溶接等による複数の溶接部）により取着されて一方の側面部９から突出している。そのため、この補強体１３を含む刃体６の厚さＴＢは、この補強体１３を含まない刃体６の厚さＴＳよりも、補強体１３の厚さＷだけ大きく設定される。また、図示しないが、固定部１４としては、ろう付け（広義の溶接部）にしてもよい。
【００１４】
この場合、「背縁部１２に沿って」とは、「背縁部１２に対し平行に」と言う意味に限定されず、「背縁部１２と刃先部１１との間で刃体６の長手方向Ｂへ延びるように」と言う広義の意味に解釈し、必ずしも背縁部１２の近隣でなくてもよい。さらに、この「長手方向Ｂ」についても、所定の一方向に限定されず、広義の意味に解釈し、側面部９上で背縁部１２と刃先部１１とをつなぐ幅方向Ｃと区別するために用いる。
【００１５】
＜第一実施形態の特徴＞
第一実施形態は下記＊の特徴（後記する他の技術的思想以外）を有する。
＊  刃体６の側面部９に取着される補強体１３は、その取着前に予め刃体６と分離して別体で設けられたものである。そのため、補強体１３の取着位置及び形状等を、刃体６の形状等に左右されることなく、任意に設定し易くなるとともに、補強体１３の成形を行い易くなる。また、刃先部１１を有する刃体６の成形後に補強体１３を取着するので、刃体６の成形を行い易くなる。
【００１６】
＊  補強体１３を含む刃体６の厚さＴＢを、この補強体１３を含まない刃体６の厚さＴＳよりも大きく設定した。この補強体１３の機能により、刃体６全体が撓みにくくなってその曲げ剛性を高めることができる。
【００１７】
＊  刃体６において、背縁部１２は、刃先部１１の対辺側になり、刃先部１１から離間している。補強体１３はこの背縁部１２の近隣で側面部９に取着されている。そのため、刃先部１１による切断時に補強体１３の突出部分が邪魔にならず、切断操作を円滑に行うことができる。
【００１８】
＊  刃体６において、ホルダ支持孔１０の近隣部分は、撓み易い箇所の一つである。補強体１３はこのホルダ支持孔１０の近隣で側面部９に取着されている。そのため、刃体６全体がより一層撓みにくくなってその曲げ剛性を高めることができる。
【００１９】
＊  刃体６は、前記長手方向Ｂに直交する前記幅方向Ｃを中心線として前記厚み方向Ａへ、最も撓み易い。補強体１３は背縁部１２に沿って一体成形されている。そのため、刃体６全体がより一層撓みにくくなってその曲げ剛性を高めることができる。
【００２０】
〔第一実施形態の別例〕
図３（ｂ）に示す第一実施形態の別例において、補強体１３は、刃体６と分離して別体で設けられた樹脂部品または金属部品であって、固定部１４（接着剤による接着部）により取着されて一方の側面部９から突出している。その他については、前記第一実施形態と同様である。
【００２１】
〔第二実施形態〕
図４（ａ）に示す第二実施形態において、補強体１３は、刃部８の両側面部９にあって、それぞれ、背縁部１２及びホルダ支持孔１０の近隣で、背縁部１２に沿って取着されている。この両補強体１３は、刃体６と分離して別体で設けられた金属部品であって、固定部１４（点溶接等による複数の溶接部）により取着されて両側面部９から突出している。そのため、この両補強体１３を含む刃体６の厚さＴＢは、この両補強体１３を含まない刃体６の厚さＴＳよりも、両補強体１３の厚さＷだけ大きく設定される。その他については、前記第一実施形態と同様である。
【００２２】
〔第二実施形態の別例１〕
図４（ｂ）に示す第二実施形態の別例１において、両補強体１３は、刃体６と分離して別体で設けられた樹脂部品または金属部品であって、固定部１４（接着剤による接着部）により取着されて両側面部９から突出している。その他については、図４（ａ）に示す第二実施形態と同様である。
【００２３】
〔第二実施形態の別例２〕
図５（ａ）に示す第二実施形態の別例２においては、図４（ａ）に示す第二実施形態の両補強体１３が、背縁部１２に面する架橋部１３ａで一体に連結されている。
【００２４】
〔第二実施形態の別例３〕
図５（ｂ）に示す第二実施形態の別例３においては、図４（ｂ）に示す第二実施形態の別例１の両補強体１３が、背縁部１２に面する架橋部１３ａで一体に連結されている。
【００２５】
〔第三実施形態〕
図６（ａ）に示す第三実施形態において、補強体１３は、刃体６と分離して別体で設けられた金属部品または樹脂部品であって、固定部１４（かしめ締結部）により取着されて一方の側面部９から突出している。このかしめ締結部においては、補強体１３から一体に突設された軸部１４ａが刃部８に挿入されて頭部１４ｂでかしめられている。その他については、前記第一実施形態と同様である。
【００２６】
〔第四実施形態〕
図６（ｂ）に示す第四実施形態においては、刃部８の両側面部９のうち一方の側面部９にあって、背縁部１２及びホルダ支持孔１０の近隣で、細長い膨出部１５が背縁部１２に沿って一方の側面部９から突設され、この膨出部１５内の凹所１５ａに補強体１３が埋設されている。この補強体１３は、刃体６と分離して別体で設けられた樹脂部品であって、その樹脂部品自体が固化されて固定部１４になっている。そのため、この補強体１３を含む刃体６の厚さＴＢは、この補強体１３を含まない刃体６の厚さＴＳよりも、補強体１３の厚さＷだけ大きく設定される。その他については、前記第一実施形態と同様である。
【００２７】
〔他の実施形態〕
前記各実施形態以外にも下記のように構成してもよい。
【００２８】
＊  補強体１３の形状や取着位置を変更する。例えば、背縁部１２が湾曲していれば、補強体１３も背縁部１２に合わせて湾曲させる。
＊  ホルダ２に対し刀身３を一体化した医療用メス１に本発明を応用する。
【００３６】
【発明の効果】
請求項１または請求項２の発明にかかる医療用メス（１）の刀身（３）によれば、刃体（６）に対し補強体（１３）が別体になっているので、補強体（１３）の機能により刃体（６）全体を撓みにくくしてその曲げ剛性を高めることができるばかりではなく、補強体（１３）の取着位置及び形状等を任意に設定し易くなる。また、補強体（１３）の取着を容易に行うことができる。
【図面の簡単な説明】
【図１】  第一実施形態にかかる医療用メスを示す部分斜視図である。
【図２】  上記医療用メスの刀身を示す正面図である。
【図３】  （ａ）は刀身の補強体を示す図２の部分断面図であり、（ｂ）は第一実施形態の別例において刀身の補強体を示す部分断面図である。
【図４】  （ａ）は第二実施形態において刀身の補強体を示す部分断面図であり、（ｂ）は第二実施形態の別例１において刀身の補強体を示す部分断面図でありる。
【図５】  （ａ）は第二実施形態の別例２において刀身の補強体を示す部分断面図であり、（ｂ）は第二実施形態の別例３において刀身の補強体を示す部分断面図である。
【図６】  （ａ）は第三実施形態において刀身の補強体を示す部分断面図であり、（ｂ）は第四実施形態において刀身の補強体を示す部分断面図である。
【符号の説明】
６…刃体、９…側面部、１０…ホルダ支持孔、１１…刃先部、１２…背縁部、１３…補強体、１４…固定部、Ａ…厚み方向、ＴＢ…厚さ、ＴＳ…厚さ。
【図１】
0003998848.tif 000002
【図２】
0003998848.tif 000003
【図３】
0003998848.tif 000004
【図４】
0003998848.tif 000005
【図５】
0003998848.tif 000006
【図６】
0003998848.tif 000007